(57)【要約】【課題】帯電部材による被帯電体の帯電不良の発生を低減すること。【解決手段】  微粒子による凸凹が表面に形成された帯電部材（ＣＲｙ〜ＣＲｋ）と、直流電圧と定電流制御される交流電圧とが重畳された帯電電圧を印加する帯電電源（Ｅ２）と、環境温度（Ｔｅ）が温度閾値（Ｔａ）より小さい場合には温度依存性（ＴＡ１）に基づいて、環境温度（Ｔｅ）に対応する定電流値（Ｉａｃ）を使用して帯電電源（Ｅ２）を介して帯電部材（ＣＲｙ〜ＣＲｋ）に印加すると共に温度閾値（Ｔａ）より大きい場合には、湿度依存性（ＴＡ１）に基づいて環境湿度（Ｈｕ）および環境温度（Ｔｅ）に対応する定電流値（Ｉａｃ）を使用して印加する帯電電圧制御手段（Ｃ１３）とを備えたことを特徴とする帯電装置（ＣＲｙ〜ＣＲｋ＋Ｅ２＋Ｃ３〜Ｃ１３）。【選択図】図７
2010230732.tif 000002
【特許請求の範囲】
【請求項１】
導電軸と、前記導電軸の外周に被膜された帯電部材本体と、前記帯電部材本体の表面に被膜され且つ微粒子が分散されて前記微粒子による凸凹が表面に形成された表面層と、を有し、被帯電体に対向して配置された帯電部材と、
予め設定された直流電圧と定電流制御される交流電圧とが重畳された帯電電圧を、前記帯電部材に印加する帯電電源と、
前記交流電圧が定電流制御される際の定電流値と、前記帯電部材近傍の温度である環境温度との関係である予め設定された温度依存性を記憶する温度依存性記憶手段と、
前記定電流値と、前記環境温度および前記帯電部材近傍の湿度である環境湿度との関係である予め設定された湿度依存性を記憶する湿度依存性記憶手段と、
前記環境温度を検出する環境温度検出手段と、
前記環境湿度を検出する環境湿度検出手段と、
前記環境温度に対する前記温度依存性に応じた定電流値と、前記環境温度および前記環境湿度に対応する前記湿度依存性に応じた定電流値と、に基づいて、前記帯電部材に前記帯電電圧を印加する帯電電圧制御手段と、
を備えたことを特徴とする帯電装置。
【請求項２】
前記環境温度検出手段で検出された前記環境温度が、予め設定された温度閾値以上であるか否かを判別する温度環境判別手段と、
前記環境温度が前記温度閾値より小さい場合には、前記温度依存性に基づいて、前記環境温度に対応する前記定電流値を使用して、前記帯電電源を介して前記帯電部材に印加すると共に、前記環境温度が前記温度閾値より大きい場合には、前記湿度依存性に基づいて、前記環境湿度および前記環境温度に対応する前記定電流値を使用して、前記帯電電圧を前記帯電部材に印加する前記帯電電圧制御手段と、
を備えたことを特徴とする請求項１に記載の帯電装置。
【請求項３】
環境湿度に応じて予め設定された前記温度閾値を記憶する温度閾値記憶手段と、
前記温度閾値記憶手段に記憶された前記温度閾値と、前記環境湿度検出手段で検出された環境湿度と、に基づいて、検出された環境湿度に対応する温度閾値を設定する温度閾値設定手段と、
を備えたことを特徴とする請求項２に記載の帯電装置。
【請求項４】
被帯電体としての像保持体と、
前記像保持体に対向して配置され且つ前記像保持体表面を帯電させる請求項１ないし３のいずれかに記載の帯電装置と、
帯電された前記像保持体表面に潜像を形成する潜像形成装置と、
前記像保持体表面の潜像を可視像に現像する現像器と、
前記像保持体表面の可視像を媒体に転写する転写装置と、
媒体表面の可視像を定着する定着装置と、
を備えたことを特徴とする画像形成装置。
【発明の詳細な説明】
【技術分野】
【０００１】
本発明は、帯電装置および画像形成装置に関する。
【背景技術】
【０００２】
画像形成装置において、感光体等の被帯電体を帯電させる帯電部材に関して、下記の特許文献１〜４に記載の技術が知られている。
【０００３】
特許文献１としての特開２００４−３３３７８９号公報には、ＤＣ電圧にＡＣ電圧を重畳した帯電電圧が印加される帯電ローラ（２）において、非画像形成時にＡＣ電流値を増加させながら、感光体（１）に流れ込むＤＣ電流値を測定して、ＤＣ電流値の増加が停止して飽和した地点のＡＣ電流値Ｉａｃ（ｓａｔ）を求めると共に、画像形成装置近傍の温湿度センサー（２００）によって検出した温度と湿度から絶対湿度を算出して、予め設定された絶対湿度と比率Ａとの関係から、算出された絶対湿度に対応する比率Ａ＝Ｉａｃ（ｉｍｇ）／Ｉａｃ（ｓａｔ）を導出し、比率ＡとＡＣ電流値Ｉａｃ（ｓａｔ）との積により、印加するＡＣ電流Ｉａｃ（ｉｍｇ）を求める技術が記載されている。
【０００４】
特許文献２としての特開２００４−０６２０６２号公報には、帯電部材（２）に対して、直流電圧に定電圧制御の交流電圧を重畳した帯電電圧が印加される構成において、前記帯電部材（２）に印加する交流電圧のピーク間電圧（Ｖｐｐ）を、測定された絶対湿度に応じて設定する技術が記載されている。また、特許文献２には、高温低湿環境という特定の環境において、交流電圧のバイアスが過剰になりやすいことに対応して、高温低湿環境下では、絶対湿度に応じた依存性にさらに補正をかける技術も記載されている。さらに、特許文献２には、定電流制御の交流電圧についても、絶対湿度の依存性に基づいて電流値を設定したり、特定環境に対応するために絶対湿度に対する依存性にさらに補正をかける技術も記載されている。
【０００５】
特許文献３としての特開２００６−２６７７３９号公報には、帯電ロール（１４）に対し、直流電圧（Ｖｄｃ）に交流電圧（Ｖａｃ）を重畳した帯電電圧を印加する構成において、直流電圧（Ｖｄｃ）を一定にし且つ交流電圧（Ｖａｃ）の振幅のピークトゥピーク電圧（Ｖｐｐ）を増加させていって、帯電ロール（１４）を流れる直流電流（Ｉｄｃ）が飽和電流（Ｉｄｃ）に収束したときのピークトゥピーク電圧（Ｖｐｐ）である飽和電圧（Ｖｐｐ）を検出して、飽和電流（Ｉｄｃ）に基づき、飽和電圧（Ｖｐｐ）に上乗せするマージンＲを設定し、前記帯電ロール（１４）に印加する印加交流電圧（Ｖｍｉｎ）をＶｐｐ×（１＋（Ｒ／１００））により決定する技術が記載されている。すなわち、温度、湿度に関わらず、検出された飽和電流（Ｉｄｃ）に応じて、予め設定されたマージン（Ｒ）を設定し、マージン（Ｒ）と飽和電圧（Ｖｐｐ）から交流電圧（Ｖａｃ）の印加交流電圧（Ｖｍｉｎ）を設定する。
【０００６】
特許文献４としての特開２００７−１９３１０７号公報には、帯電ロール（２）のロール基材（２ａ）に対し、帯電バイアスとして直流電圧に交流電圧を重畳したものを印加する構成において、筐体（１００）内部に設置された温度湿度センサ（６１）によって検知された温度を「低温」「中温」「高温」の３領域のいずれであるか判別し、また、検知された湿度を「低湿」「中湿」「高湿」の３領域のいずれであるかを判別して、温度湿度が「低温低湿」、「低温中湿」及び「中温低湿」であった場合には、帯電ロール（２）と感光ドラム（１）との間の静電気力を高めて、帯電ロール（２）の回転開始時のスリップを低減するために、平常時の印加電圧よりも高い電圧の高帯電バイアスをプリント動作開始時から所定時間だけ印加する技術が記載されている。
【先行技術文献】
【特許文献】
【０００７】
【特許文献１】特開２００４−３３３７８９号公報（「００１７」、「００１９」、「００４６」、「００５３」〜「００５５」、図３〜図７）
【特許文献２】特開２００４−０６２０６２号公報（「００１２」、「００１３」、「００４２」〜「００４５」、「００５０」〜「００５２」、「００５６」〜「００５８」、「００６０」〜「００６２」、図３、図５〜図７、図９）
【特許文献３】特開２００６−２６７７３９号公報（「００１１」、「００１３」、「００４３」〜「００４８」、「００５４」〜「００５７」、図２〜図６）
【特許文献４】特開２００７−１９３１０７号公報（「００１０」〜「００１３」、「００２１」〜「００２４」、「００３０」、「００３１」、「００５８」〜「００６１」、「００６６」〜「００６８」、「００８５」、「００８６」、「００８９」〜「００９１」図４、図５、図９、図１０）
【発明の概要】
【発明が解決しようとする課題】
【０００８】
本発明は、帯電部材による被帯電体の帯電不良の発生を低減することを技術的課題とする。
【課題を解決するための手段】
【０００９】
前記技術的課題を解決するために、請求項１記載の発明の帯電装置は、
導電軸と、前記導電軸の外周に被膜された帯電部材本体と、前記帯電部材本体の表面に被膜され且つ微粒子が分散されて前記微粒子による凸凹が表面に形成された表面層と、を有し、被帯電体に対向して配置された帯電部材と、
予め設定された直流電圧と定電流制御される交流電圧とが重畳された帯電電圧を、前記帯電部材に印加する帯電電源と、
前記交流電圧が定電流制御される際の定電流値と、前記帯電部材近傍の温度である環境温度との関係である予め設定された温度依存性を記憶する温度依存性記憶手段と、
前記定電流値と、前記環境温度および前記帯電部材近傍の湿度である環境湿度との関係である予め設定された湿度依存性を記憶する湿度依存性記憶手段と、
前記環境温度を検出する環境温度検出手段と、
前記環境湿度を検出する環境湿度検出手段と、
前記環境温度に対する前記温度依存性に応じた定電流値と、前記環境温度および前記環境湿度に対応する前記湿度依存性に応じた定電流値と、に基づいて、前記帯電部材に前記帯電電圧を印加する帯電電圧制御手段と、
を備えたことを特徴とする。
【００１０】
請求項２に記載の発明は、請求項１に記載の帯電装置において、
前記環境温度検出手段で検出された前記環境温度が、予め設定された温度閾値以上であるか否かを判別する温度環境判別手段と、
前記環境温度が前記温度閾値より小さい場合には、前記温度依存性に基づいて、前記環境温度に対応する前記定電流値を使用して、前記帯電電源を介して前記帯電部材に印加すると共に、前記環境温度が前記温度閾値より大きい場合には、前記湿度依存性に基づいて、前記環境湿度および前記環境温度に対応する前記定電流値を使用して、前記帯電電圧を前記帯電部材に印加する帯電電圧制御手段と、
を備えたことを特徴とする。
【００１１】
請求項３に記載の発明は、請求項２に記載の帯電装置において、
環境湿度に応じて予め設定された前記温度閾値を記憶する温度閾値記憶手段と、
前記温度閾値記憶手段に記憶された前記温度閾値と、前記環境湿度検出手段で検出された環境湿度と、に基づいて、検出された環境湿度に対応する温度閾値を設定する温度閾値設定手段と、
を備えたことを特徴とする。
【００１２】
前記技術的課題を解決するために、請求項４記載の発明の画像形成装置は、
被帯電体としての像保持体と、
前記像保持体に対向して配置され且つ前記像保持体表面を帯電させる請求項１ないし３のいずれかに記載の帯電装置と、
帯電された前記像保持体表面に潜像を形成する潜像形成装置と、
前記像保持体表面の潜像を可視像に現像する現像器と、
前記像保持体表面の可視像を媒体に転写する転写装置と、
媒体表面の可視像を定着する定着装置と、
を備えたことを特徴とする。
【発明の効果】
【００１３】
請求項１、４に記載の発明によれば、温度依存性に対応する定電流値と湿度依存性に対応する定電流値とに基づかない場合に比べて、帯電部材による被帯電体の帯電不良の発生を低減することができる。
請求項２に記載の発明によれば、温度閾値に基づいて温度依存性と湿度依存性とを切り替えることができる。
請求項３に記載の発明によれば、環境湿度に応じて温度閾値を設定しない場合に比べて、過剰な電圧による劣化を低減することができる。
【図面の簡単な説明】
【００１４】
【図１】図１は本発明の実施例１の画像形成装置の全体説明図である。
【図２】図２は本発明の実施例１の着脱体の一例である可視像形成装置の説明図である。
【図３】図３は本発明の実施例１の画像形成装置の制御部が備えている各機能をブロック図で示した図である。
【図４】図４は本発明の実施例１の温度依存性記憶手段に記憶された温度補正表である。
【図５】図５は本発明の実施例１の湿度依存性記憶手段に記憶された湿度補正表である。
【図６】図６は本発明の実施例１の画像形成装置での帯電電圧制御処理のフローチャートである。
【図７】図７は実験例１および実験例２の実験結果を表したグラフであり、横軸に環境温度を取り、縦軸に補正値の一例としてのマージンを取ったグラフである。
【図８】図８は本発明の実施例２の画像形成装置の制御部が備えている各機能をブロック図で示した図であり、実施例１の図３に対応する説明図である。
【図９】図９は本発明の実施例２の画像形成装置での帯電電圧制御処理のフローチャートであり、実施例１の図６に対応する説明図である。
【図１０】図１０は本発明の実施例３の画像形成装置の制御部が備えている各機能をブロック図で示した図であり、実施例１の図３に対応する説明図である。
【図１１】図１１は本発明の実施例３の画像形成装置での帯電電圧制御処理のフローチャートであり、実施例２の図９に対応する説明図である。
【発明を実施するための最良の形態】
【００１５】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１６】
図１は本発明の実施例１の画像形成装置の全体説明図である。
図１において、本発明の実施例１の画像形成装置の一例としてのプリンタＵは、画像が記録される媒体の一例としての記録媒体Ｓが収容される給紙容器ＴＲ１が下部に収容されており、上面には媒体積載部の一例としての媒体排出部ＴＲｈが設けられている。また、前記プリンタＵの上部には、操作者が指示を入力する動作指示入力部の一例としてのユーザインタフェースＵＩが設けられている。
図１において、実施例１のプリンタＵは、画像形成装置本体Ｕ１と、前記画像形成装置本体Ｕ１の右側下端部に設けられた回転中心Ｕ２ａを中心として開閉可能な開閉部Ｕ２を有する。前記開閉部Ｕ２は、後述するプロセスカートリッジの交換や紙詰まりした記録媒体Ｓを除去するために前記画像形成装置本体Ｕ１の内部を開放する図示しない開放位置と、図１に示す画像形成動作が実行される通常時に保持される通常位置との間を移動可能に構成されている。
【００１７】
前記プリンタＵは、前記プリンタＵの各種制御を行う制御部Ｃと、制御部Ｃにより作動を制御される画像処理部ＧＳ、像書込装置駆動回路ＤＬ、および電源回路Ｅ等を有している。前記電源回路Ｅは、後述の帯電部材の一例としての帯電ロールＣＲｙ〜ＣＲｋ、現像剤保持体の一例としての現像ロールＧ１ｙ〜Ｇ１ｋおよび転写装置の一例としての転写ロールＴ１ｙ〜Ｔ１ｋ等に電圧を印加する。
【００１８】
前記画像処理部ＧＳは、外部の画像情報送信装置等から入力された印刷情報を、Ｋ（黒），Ｙ（イエロー），Ｍ（マゼンタ），Ｃ（シアン）の４色の画像に対応した潜像形成用の画像情報に変換して、所定のタイミングで像書込装置駆動回路ＤＬに出力する。像書込装置駆動回路ＤＬは、入力された各色の画像情報に応じて駆動信号を潜像形成装置の一例としての潜像書込装置ＲＯＳに出力する。前記潜像書込装置ＲＯＳは、駆動信号に応じて、各色の画像書き込み用の画像書込光の一例としてのレーザビームＬｙ，Ｌｍ，Ｌｃ，Ｌｋを出射する。
図１において、前記潜像書込装置ＲＯＳの右方にはＹ（イエロー），Ｍ（マゼンタ），Ｃ（シアン），Ｋ（黒）の各色の可視像の一例としてのトナー像を形成する画像記録部の一例としての可視像形成装置ＵＹ，ＵＭ，ＵＣ，ＵＫが配置されている。
【００１９】
図２は本発明の実施例１の着脱体の一例である可視像形成装置の説明図である。
図２において、Ｋ（黒）の可視像形成装置ＵＫは回転する被帯電体、および、像保持体の一例としての感光体Ｐｋを有する。前記感光体Ｐｋの周囲には、帯電ロールＣＲｋ、感光体表面の静電潜像を可視像に現像する現像器の一例としての現像装置Ｇｋ、感光体Ｐｋ表面を除電する除電部材Ｊｋ、感光体Ｐｋ表面に残留した現像剤を除去する像保持体清掃器の一例としての感光体クリーナＣＬｋ等が配置されている。
【００２０】
また、前記現像装置Ｇｋは、現像剤が収容される現像容器Ｖと、前記現像容器Ｖ内に収容された現像剤を保持して回転する現像剤保持体の一例としての現像ロールＧ１ｋを有する。前記現像容器Ｖ内には、現像ロールＧ１ｋに対向して配置され、現像ロールＧ１ｋ表面の現像剤の層厚を規制する層厚規制部材Ｓｋが設けられている。また、前記現像容器Ｖは、前記現像ロールＧ１ｋに供給される現像剤が撹拌しながら搬送される撹拌搬送室Ｖ１，Ｖ２を有し、前記撹拌搬送室Ｖ１，Ｖ２内には、現像剤を循環搬送する循環搬送部材Ｒ１，Ｒ２が配置されている。左側の撹拌搬送室Ｖ２には、現像剤を補給する現像剤補給路Ｈ１が接続されており、前記現像剤補給路Ｈ１には補給用の現像剤が収容される第１の現像剤補給室Ｈ２が接続されている。
【００２１】
また、前記第１の現像剤補給室Ｈ２は、現像剤補給接続路Ｈ３を介して、上方に配置された第２の現像剤補給室Ｈ４に接続されている。前記現像剤補給路Ｈ１、前記第１の現像剤補給室Ｈ２、前記現像剤補給接続路Ｈ３および前記第２の現像剤補給室Ｈ４には、それぞれ、前記撹拌搬送室Ｖ１，Ｖ２に向けて現像剤を搬送する補給現像剤搬送部材Ｒ３，Ｒ４，Ｒ５，Ｒ６，Ｒ７が配置されている。前記符号Ｈ１〜Ｈ４,Ｒ３〜Ｒ７を付した部材により、実施例１の現像剤補給容器Ｈ１〜Ｈ４＋Ｒ３〜Ｒ７が構成されている。
【００２２】
前記感光体Ｐｋは、前記帯電ロールＣＲｋと対向する帯電領域Ｑ１ｋで前記帯電ロールＣＲｋにより表面を一様に帯電された後、潜像形成領域Ｑ２ｋでレーザビームＬｋにより潜像が書き込まれる。書き込まれた静電潜像は前記現像装置Ｇｋと対向する現像領域Ｑｇｋにおいて静電潜像が可視像化される。
実施例１の黒色の可視像形成装置ＵＫは、感光体Ｐｋ、帯電器ＣＲｋ、現像装置Ｇｋ、除電部材Ｊｋ、感光体クリーナＣＬｋ、現像剤補給容器Ｈ１〜Ｈ４＋Ｒ３〜Ｒ７等が一体
的に着脱可能な着脱体、いわゆるプロセスカートリッジＵＫにより構成されており、開閉部Ｕ２を開放位置に移動した状態で画像形成装置本体Ｕ１に対して着脱可能に構成されている。
他の色の可視像形成装置ＵＹ，ＵＭ，ＵＣも、黒色の可視像形成装置ＵＫと同様に、画像形成装置本体Ｕ１に対して着脱可能な着脱体、いわゆる、プロセスカートリッジＵＹ，ＵＭ，ＵＣにより構成されている。なお、実施例１のプリンタＵでは、各プロセスカートリッジＵＹ〜ＵＫは、上下方向に並んで配置されている。
【００２３】
図１において、前記感光体Ｐｙ〜Ｐｋの右方には、帯状部材駆動装置の一例としてのベルトモジュールＢＭが配置されている。前記ベルトモジュールＢＭは、各プロセスカートリッジＵＹ〜ＵＫに対向して配置された帯状部材の一例としての無端状の媒体搬送ベルトＢを有する。前記媒体搬送ベルトＢは、張架部材の一例としてのベルト支持ロールＲｄ＋Ｒｊにより回転可能に支持されている。前記ベルト支持ロールＲｄ＋Ｒｊは、媒体搬送方向上流側である下方に配置された上流側張架部材の一例であり且つ駆動部材の一例としてのベルト駆動ロールＲｄと、媒体搬送方向下流側である上方に配置された下流側張架部材の一例であり且つ従動部材の一例としての従動ロールＲｊと、媒体搬送ベルトＢを挟んで各感光体Ｐｙ〜Ｐｋに対向して配置された転写器の一例としての転写ロールＴ１ｙ，Ｔ１ｍ，Ｔ１ｃ，Ｔ１ｋを有する。
【００２４】
前記媒体搬送ベルトＢの媒体搬送方向下流側、すなわち、上側には、所定の時期に、制御部Ｃの図示しない画像濃度調整手段により形成される濃度検出用の画像、いわゆるパッチ画像の濃度を検出する画像濃度検出部材の一例としての画像濃度センサＳＮ０が配置されている。なお、前記画像濃度センサＳＮ０で検出された画像濃度に基づいて、制御部Ｃの画像濃度調整手段は、帯電ロールＣＲｙ〜ＣＲｋや現像装置Ｇｙ〜Ｇｋ、転写ロールＴ１ｙ〜Ｔ１ｋへ印加する電圧の調整、潜像書込光Ｌｙ〜Ｌｋの強度の調整を行うことにより、画像濃度の調整や補正、いわゆる、プロセスコントロールを行う。
前記画像濃度センサＳＮ０の媒体搬送ベルトＢの媒体搬送方向の下流側には、搬送部材清掃器の一例としてのベルトクリーナＣＬｂが配置されている。また、前記駆動ロールＲｄに、媒体搬送ベルトＢを挟んで対向する位置には、記録媒体Ｓを媒体搬送ベルトＢに吸着させる記録媒体吸着部材の一例としての媒体吸着ロールＲｋが配置されている。
【００２５】
媒体搬送ベルトＢの下方に配置された給紙容器ＴＲ1の記録媒体Ｓは、媒体取出し部材の一例としてのピックアップロールＲｐにより取り出され、媒体捌き部材の一例としてのさばきロールＲｓにより１枚ずつ分離されて、記録媒体搬送路ＳＨに搬送される。
記録媒体搬送路ＳＨの記録媒体Ｓは、繰出部材の一例として、媒体搬送ベルトＢへの給紙時期を調整するレジロールＲｒに送られる。レジロールＲｒは、所定のタイミングで、駆動ロールＲｄと媒体吸着ロールＲｋとの対向領域である記録媒体吸着位置Ｑ６に記録媒体Ｓを繰り出す。前記記録媒体吸着位置Ｑ６に搬送された記録媒体Ｓは、前記媒体搬送ベルトＢに静電吸着される。
【００２６】
前記媒体搬送ベルトＢに吸着された記録媒体Ｓは、前記感光体Ｐｙ〜Ｐｋと接触する前記転写領域Ｑ３y，Ｑ３m，Ｑ３c，Ｑ３kを順次通過する。
前記転写領域Ｑ３y，Ｑ３m，Ｑ３c，Ｑ３kにおいて媒体搬送ベルトＢの裏面側に配置された転写ロールＴ１y，Ｔ１m，Ｔ１c，Ｔ１kには、制御部Ｃにより制御される電源回路Ｅから所定のタイミングでトナーの帯電極性と逆極性の転写電圧が印加される。
多色画像の場合、前記各感光体Ｐｙ〜Ｐｋ上のトナー像は前記転写ロールＴ１y，Ｔ１m，Ｔ１c，Ｔ１kにより媒体搬送ベルトＢ上の記録媒体Ｓに重ねて転写される。また、単色画像、いわゆる、モノクロ画像の場合、感光体Ｐｋ上にＫ（黒）のトナー像のみが形成され、このＫ（黒）のトナー像のみが転写器Ｔ１kにより記録媒体Ｓに転写される。
トナー像転写後の感光体Ｐｙ〜Ｐｋは、除電領域Ｑｊｙ〜Ｑｊｋで除電部材Ｊｙ〜Ｊｋにより除電された後、清掃領域Ｑ４ｙ〜Ｑ４ｋにおいて感光体クリーナＣＬｙ〜ＣＬｋにより表面に残留したトナーが回収されて清掃され、再び帯電ロールＣＲｙ〜ＣＲｋにより帯電される。
【００２７】
前記トナー像が転写された記録媒体Ｓは、定着装置Ｆの加熱定着部材の一例としての加熱ロールＦｈと、加圧定着部材の一例としての加圧ロールＦｐとが圧接して形成される定着領域Ｑ５で定着される。画像が定着された記録媒体Ｓは、排出案内部材の一例としてのガイドコロＲｇｋにより案内されて、媒体排出部材の一例としての排紙ロールＲｈから媒体排出部ＴＲｈに排出される。
記録媒体Ｓが離隔した後の前記媒体搬送ベルトＢは、前記ベルトクリーナＣＬｂにより清掃される。
【００２８】
（帯電器の説明）
図２において、前記帯電ロールＣＲｋは、前後方向に延びる導電性材料で形成された回転軸の一例としての導電軸１を有し、前記導電軸１の周面には、帯電部材本体の一例としての帯電ロール本体２が支持されている。なお、実施例１の帯電ロール本体２は、カーボンブラック等の導電性粒子が配合された弾性ゴム製の弾性層を有し、弾性層の表面は絶縁性の樹脂薄膜で構成された表面層によって被膜されている。なお、実施例１の前記帯電ロール本体２の表面層は、数μｍの層厚の樹脂薄膜中に直径数μｍの微粒子が分散されたものを使用しており、前記帯電ロール本体２の表面には、微小な凸凹が形成されている。なお、表面層として、厚さ９μｍのナイロン樹脂を使用可能であり、表面層に分散させる微粒子としては、一例として、トナー粒子径と同程度の直径５μｍ程度のナイロン樹脂が使用可能である。
【００２９】
（実施例１の制御部の説明）
図３は本発明の実施例１の画像形成装置の制御部が備えている各機能をブロック図で示した図である。
図３において、実施例１のプリンタＵの制御部Ｃは、いわゆる、マイクロコンピュータにより構成されており、外部との信号の入出力、および、入出力信号レベルの調節等を行う入出力信号調節部の一例としての入出力インターフェース、いわゆる、Ｉ／Ｏ、必要な処理を実行するためのプログラム、および、データ等が記憶された補助記憶装置の一例としてのリードオンリーメモリ、いわゆる、ＲＯＭや、ハードディスクドライブ、いわゆる、ＨＤＤ、必要なデータを一時的に記憶するためのランダムアクセスメモリ、いわゆる、ＲＡＭ、前記ＲＯＭや、前記ＨＤＤに記憶されたプログラムに応じた処理を行う中央演算処理装置、いわゆる、ＣＰＵ、ならびにクロック発振器等を有する計算機の一例としてのコンピュータにより構成されており、前記ＲＯＭに記憶されたプログラムを実行することにより種々の機能を実現することができる。
【００３０】
（制御部Ｃに接続された信号入力要素）
前記制御部Ｃには、次の信号出力要素の出力信号が入力されている。
ＳＮ１：温度計
環境温度検出手段の一例としての温度計ＳＮ１は、プリンタＵの環境温度Ｔｅを検出し、その検出信号を制御部Ｃに入力する。
ＳＮ２：湿度計
環境湿度検出手段の一例としての湿度計ＳＮ２は、プリンタＵの環境湿度Ｈｕを検出し、その検出信号を制御部Ｃに入力する。
【００３１】
（制御部Ｃに接続された被制御要素）
制御部Ｃは、次の被制御要素Ｄ１，Ｅの制御信号を出力している。
Ｄ１：メインモータ駆動回路
主駆動源駆動回路の一例としてのメインモータ駆動回路Ｄ１は、主駆動源の一例としてのメインモータＭ１を駆動することにより、感光体Ｐｙ〜Ｐｋ、現像器Ｇｙ〜Ｇｋ、定着装置Ｆの加熱ロールＦｈ、排紙ロールＲｈ等を回転駆動する。
【００３２】
Ｅ：電源回路
前記電源回路Ｅは、現像用電源回路Ｅ１、帯電用電源回路Ｅ２、転写用電源回路Ｅ３、定着用電源回路Ｅ４を有し電源を供給する。
Ｅ１：現像用電源回路
現像用電源回路Ｅ１は、現像器Ｇｙ〜Ｇｋに現像電圧を印加する。
Ｅ２：帯電用電源回路
帯電電源の一例としての帯電用電源回路Ｅ２は、帯電ロールＣＲｙ〜ＣＲｋに帯電電圧を印加する。
Ｅ３：転写用電源回路
転写用電源回路Ｅ３は、転写ロールＴ１ｙ〜Ｔ１ｋに転写電圧を印加する。
Ｅ４：定着用電源回路
定着用電源回路Ｅ４は、定着装置Ｆの加熱ロールＦｈの加熱部材の一例としてのヒータに加熱用の電力を供給する。
【００３３】
（制御部Ｃの機能）
制御部Ｃは、前記信号入力要素の出力信号に応じて、前記各被制御要素の動作を制御するためのプログラムにより、次の機能実現手段を有している。
Ｃ１：ジョブ制御手段
画像形成動作制御手段の一例としてのジョブ制御手段Ｃ１は、画像情報送信装置等から送信された画像情報に応じて、帯電ロールＣＲｙ〜ＣＲｋ、転写ロールＴ１ｙ〜Ｔ１ｋ、定着装置Ｆ等の動作を制御して、画像形成動作の一例としてのジョブを実行する。
【００３４】
Ｃ２：メインモータ回転制御手段
主駆動源回転制御手段の一例としてのメインモータ回転制御手段Ｃ２は、前記メインモータ駆動回路Ｄ１を介して前記メインモータＭ１の回転を制御して、感光体Ｐｙ〜Ｐｋ、現像器Ｇｙ〜Ｇｋ、定着装置Ｆの加熱ロールＦｈ、および、排紙ロールＲｈ等の駆動を制御する。
Ｃ３：電源回路制御手段
電源回路制御手段Ｃ３は、電源回路Ｅの作動を制御して、現像器Ｇｙ〜Ｇｋ、帯電ロールＣＲｙ〜ＣＲｋ、転写ロールＴ１ｙ〜Ｔ１ｋ、および、定着装置Ｆの加熱ロールＦｈのヒータ等を制御する電圧、電流の供給を制御する。
【００３５】
Ｃ４：基準電流設定手段
基準電流設定手段Ｃ４は、累積印刷枚数記録手段Ｃ４Ａと、基準電流検知開始判別手段Ｃ４Ｂと、基準電流検知手段Ｃ４Ｃと、基準電流記憶手段Ｃ４Ｄと、基準電流更新手段Ｃ４Ｅとを有する。実施例１の基準電流設定手段Ｃ４は、定電流制御される前記帯電ロールＣＲｙ〜ＣＲｋの交流電圧における定電流値Ｉａｃの基準となる基準電流値Ｉｋの設定を行う。
Ｃ４Ａ：累積印刷枚数記録手段
累積印刷枚数記録手段Ｃ４Ａは、前記プリンタＵが記録媒体Ｓに対し印刷した枚数として、累積印刷枚数ｎを記録する。
【００３６】
Ｃ４Ｂ：基準電流検知開始判別手段
基準電流検知開始判別手段Ｃ４Ｂは、前記基準電流値Ｉｋの検知を開始するか否かの判別を行う。実施例１の基準電流検知開始判別手段Ｃ４Ｂは、前記プリンタＵが記録媒体Ｓに対し印刷した枚数として、累積印刷枚数ｎが、予め設定された開始判別枚数ｎａを超過したか否かを判別することで、前記基準電流値Ｉｋの検知を開始するか否かを判別する。なお、前記開始判別枚数ｎａとして、例えば、ｎａ＝１００[枚]が使用可能である。
【００３７】
Ｃ４Ｃ：基準電流検知手段
基準電流検知手段Ｃ４Ｃは、前記基準電流値Ｉｋの検知を行う。実施例１の基準電流検知手段Ｃ４Ｃは、前記基準電流検知開始判別手段Ｃ４Ｂによって、前記基準電流値Ｉｋの検知を開始すると判断された場合、定電流制御された前記帯電ロールＣＲｙ〜ＣＲｋの交流電圧における前記基準電流値Ｉｋの検知を行う。具体的には、前記感光体Ｐｙ〜Ｐｋ表面の電位を図示しない表面電位計で測定しながら、前記帯電ロールＣＲｙ〜ＣＲｋの交流電圧を順次増加させて、前記感光体Ｐｙ〜Ｐｋ表面の電位の増加が停止して一定となった、いわゆる、飽和状態の交流電圧を検知し、検知した交流電圧に基づいて基準電流値Ｉｋの検知を行う。なお、このような前記帯電ロールＣＲｙ〜ＣＲｋの基準電流値Ｉｋを検知する技術は、従来公知であり、例えば、特開２００４−３３３７８９号公報、特開２００７−５２１２５号公報、および、特開２００７−１８７９３３号公報などに記載されているため詳細な説明は省略する。
【００３８】
Ｃ４Ｄ：基準電流記憶手段
基準電流記憶手段Ｃ４Ｄは、前記基準電流値Ｉｋを記憶する。実施例１の基準電流記憶手段Ｃ４Ｄは、前記基準電流検知手段Ｃ４Ｃによって検知された前記基準電流値Ｉｋを記憶する。
Ｃ４Ｅ：基準電流更新手段
基準電流更新手段Ｃ４Ｅは、前記基準電流検知手段Ｃ４Ｃで前記基準電流値Ｉｋが検知されると、前記基準電流記憶手段Ｃ４Ｄに記憶された前記基準電流値Ｉｋを更新する。
【００３９】
Ｃ５：環境温度検出手段
環境温度検出手段Ｃ５は、前記環境温度Ｔｅを検出する。実施例１の環境温度検出手段Ｃ５は、プリンタＵの前記帯電ロールＣＲｙ〜ＣＲｋ近傍の温度である前記環境温度Ｔｅを前記温度計ＳＮ１によって検出する。
Ｃ６：環境湿度検出手段
環境湿度検出手段Ｃ６は、前記環境湿度Ｈｕを検出する。実施例１の環境湿度検出手段Ｃ６は、前記プリンタＵの前記帯電ロールＣＲｙ〜ＣＲｋ近傍の湿度である前記環境湿度Ｈｕを前記湿度計ＳＮ２によって検出する。
【００４０】
図４は本発明の実施例１の温度依存性記憶手段に記憶された温度補正表である。
Ｃ７：温度依存性記憶手段
温度依存性記憶手段Ｃ７は、前記帯電電圧における前記交流電圧が定電流制御される際に、帯電不良により白点が不発生となる定電流値Ｉａｃと、前記環境温度Ｔｅとの関係である温度依存性を記憶する。
実施例１では、前記定電流値Ｉａｃは、前記基準電流設定手段Ｃ４によって設定された前記基準電流値Ｉｋに、前記環境温度Ｔｅに依存して変化する温度補正値の一例としての温度マージンＭｔを掛け合わせることで、導出され、実施例１の温度依存性記憶手段Ｃ７は、前記環境温度Ｔｅに対する前記温度マージンＭｔを対応づけた温度補正表の一例としての温度補正テーブルＴＡ１を、温度依存性として記憶する。
【００４１】
図４に示す実施例１の温度補正テーブルＴＡ１では、検出された前記環境温度Ｔｅに対応する前記温度マージンＭｔを、基準電流値Ｉｋを１００として、基準電流値Ｉｋに上乗せされる割合を百分率で示している。
前記環境温度Ｔｅが１０℃未満の場合の前記温度マージンＭｔは２２％、１０℃以上１２℃未満の場合の前記温度マージンＭｔは２０％、１２℃以上１４℃未満の場合の前記温度マージンＭｔは１７％、１４℃以上１６℃未満の場合の前記温度マージンＭｔは１５％、１６℃以上１８℃未満の場合の前記温度マージンＭｔは１５％、１８℃以上２０℃未満の場合の前記温度マージンＭｔは７％、２０℃以上２２℃未満の場合の前記温度マージンＭｔは８％、２２℃以上３０℃未満の場合の前記温度マージンＭｔは８％、３０℃以上の場合の前記温度マージンＭｔは１１％として記憶する。なお、前記環境温度Ｔｅに対する前記温度マージンＭｔの具体的な数値は、例示した数値に限定されず、設計や仕様等に応じて任意に変更可能である。
【００４２】
Ｃ８：温度閾値記憶手段
温度閾値記憶手段Ｃ８は、前記定電流値Ｉａｃを前記温度依存性に基づいて演算するか、前記環境温度Ｔｅおよび前記環境湿度Ｈｕと、色点、および、黒点が不発生となる前記定電流値Ｉａｃとの関係である湿度依存性に基づいて演算するかを判別するための環境温度の閾値である温度閾値Ｔａを記憶する。実施例１では、予め設定された前記温度閾値Ｔａとして、Ｔａ＝１８[℃]を記憶する。なお、前記温度閾値の具体的な数値は、例示した数値に限定されず、設計や仕様等に応じて任意に変更可能である。
Ｃ９：温度環境判別手段
温度環境判別手段Ｃ９は、前記環境温度Ｔｅが予め設定された前記温度閾値Ｔａ以上の温度の環境か否かの判別を行う。実施例１の温度環境判別手段Ｃ９は、前記環境温度検出手段Ｃ５によって検出された前記環境温度Ｔｅが、前記温度閾値Ｔａ以上であるか否かの判別を行うことで、前記温度閾値Ｔａ以上の温度の環境か否かの判別を行う。
【００４３】
図５は本発明の実施例１の湿度依存性記憶手段に記憶された湿度補正表である。
Ｃ１０：湿度依存性記憶手段
湿度依存性記憶手段Ｃ１０は、色点および黒点が不発生となる定電流値Ｉａｃと、前記環境温度Ｔｅおよび前記環境湿度Ｈｕとの関係である湿度依存性を記憶する。
実施例１では、前記定電流値Ｉａｃは、前記温度閾値Ｔａ以上の環境の場合に、前記環境温度Ｔｅに依存して変化する前記温度マージンＭｔに、前記環境湿度Ｈｕに依存して変化する補正値の一例としてのマージン補正値Ｍｈ１が加算された湿度依存性の一例としての湿度マージンＭｈ、すなわち、Ｍｈ＝Ｍｔ＋Ｍｈ１を、前記基準電流設定手段Ｃ４によって設定された前記基準電流値Ｉｋに、掛け合わせることで導出される。実施例１の湿度依存性記憶手段Ｃ１０は、湿度依存性としての前記湿度マージンＭｈを記憶する代わりに、前記環境湿度Ｈｕと、前記マージン補正値Ｍｈ１とを対応づけた湿度補正表の一例としての湿度補正テーブルＴＡ２を記憶する。
【００４４】
図５に示す実施例１の湿度補正テーブルＴＡ２では、検出された前記環境湿度Ｈｕに対応する前記マージン補正値Ｍｈ１を、前記基準電流値Ｉｋを１００として、百分率で示している。
前記環境湿度Ｈｕが２０％ＲＨ未満の場合の前記マージン補正値Ｍｈ１は６％、前記環境湿度Ｈｕが２０％ＲＨ以上３０％ＲＨ未満の場合の前記マージン補正値Ｍｈ１は６％、前記環境湿度Ｈｕが３０％ＲＨ以上４０％ＲＨ未満の場合の前記マージン補正値Ｍｈ１は６％、前記環境湿度Ｈｕが４０％ＲＨ以上５０％ＲＨ未満の場合の前記マージン補正値Ｍｈ１は７％、前記環境湿度Ｈｕが５０％ＲＨ以上６０％ＲＨ未満の場合の前記マージン補正値Ｍｈ１は７％、前記環境湿度Ｈｕが６０％ＲＨ以上７０％ＲＨ未満の場合の前記湿度マージン補正値Ｍｈ１は９％、前記環境湿度Ｈｕが７０％ＲＨ以上８０％ＲＨ未満の場合の前記湿度マージン補正値Ｍｈ１は１０％、前記環境湿度Ｈｕが８０％ＲＨ以上の場合の前記湿度マージン補正値Ｍｈ１は１１％として記憶する。なお、前記環境湿度Ｈｕに対する前記湿度マージン補正値Ｍｈ１の具体的な数値は、例示した数値に限定されず、設計や仕様等に応じて任意に変更可能である。
【００４５】
Ｃ１１：マージン設定手段
補正値設定手段の一例としてのマージン設定手段Ｃ１１は、前記定電流値Ｉａｃを導出するための前記基準電流値Ｉｋを補正する補正値の一例としてのマージンＭａを設定する。実施例１のマージン設定手段Ｃ１１は、前記環境温度Ｔｅが前記温度閾値Ｔａ以下の場合に、前記温度依存性記憶手段Ｃ７によって記憶された前記温度補正テーブルＴＡ１における前記環境温度Ｔｅに対応した前記温度マージンＭｔを前記マージンＭａに設定し、また、前記環境温度Ｔｅが前記温度閾値Ｔａ以上の場合、前記環境温度Ｔｅに対応した前記温度マージンＭｔに、前記湿度補正テーブルＴＡ２における前記環境湿度Ｈｕに対応した前記マージン補正値Ｍｈ１を、加算した前記湿度マージンＭｈを前記マージンＭａに設定する。
【００４６】
Ｃ１２：定電流設定手段
定電流設定手段Ｃ１２は、予め設定された前記基準電流値Ｉｋを、前記マージン設定手段Ｃ１１によって設定された前記マージンＭａによって補正し、定電流値Ｉａｃを設定する。実施例１の定電流設定手段Ｃ１２は、前記基準電流値Ｉｋに前記マージンＭａをかけ合わせることにより、演算された定電流値Ｉａｃを設定する。
Ｃ１３：帯電電圧制御手段
帯電電圧制御手段Ｃ１３は、前記帯電用電源回路Ｅ２を制御して、交流電圧が前記定電流設定手段Ｃ１２によって設定された前記定電流値Ｉａｃで定電流制御された帯電電圧を、前記帯電ロールＣＲｙ〜ＣＲｋに印加する。
なお、帯電ロールＣＲｙ〜ＣＲｋ、帯電用電源回路Ｅ２、および、各手段Ｃ３〜Ｃ１３等により、帯電装置（ＣＲｙ〜ＣＲｋ＋Ｅ２＋Ｃ３〜Ｃ１３）が構成されている。
【００４７】
（実施例１のフローチャートの説明）
次に、本発明の実施例１のプリンタＵの処理の流れをフローチャートを使用して説明する。
（実施例１の帯電電圧制御処理のフローチャートの説明）
図６は本発明の実施例１の画像形成装置での帯電電圧制御処理のフローチャートである。
図６のフローチャートの各ステップの処理は、プリンタＵのＲＯＭ等に記憶されたプログラムに従って行われる。また、この処理はプリンタＵの他の各処理と並行して並列処理で実行される。
図６に示すフローチャートはプリンタＵの電源が投入された時に開始される。
【００４８】
図６のＳＴ１において、ジョブが開始されたか否かを判別する。イエス（Ｙ）の場合はＳＴ２に移り、ノー（Ｎ）の場合はＳＴ１を繰り返す。
ＳＴ２において、環境温度Ｔｅを検出する。そして、ＳＴ３に移る。
ＳＴ３において、検出された環境温度Ｔｅに対応した温度マージンＭｔを、予め設定された温度補正テーブルＴＡ１から導出、設定する。そして、ＳＴ４に移る。
ＳＴ４において、検出された環境温度Ｔｅが、予め設定された温度閾値Ｔａの１８℃以上か否かを判別する。イエス（Ｙ）の場合は、ＳＴ５に移り、ノー（Ｎ）の場合は、ＳＴ８に移る。
【００４９】
ＳＴ５において、環境湿度Ｈｕを検出する。そして、ＳＴ６に移る。
ＳＴ６において、検出された環境湿度Ｈｕに対応した湿度マージン補正値Ｍｈ１を、予め設定された湿度補正テーブルＴＡ２から導出、設定する。そして、ＳＴ７に移る。
ＳＴ７において、以下の（１）〜（３）の処理を実行し、ＳＴ９に移る。
（１）温度マージンＭｔに湿度マージン補正値Ｍｈ１を加算することにより導出された湿度マージンＭｈをマージンＭａに設定する。
（２）前記マージンＭａを、予め設定された基準電流値Ｉｋに掛け合わせて、定電流値Ｉａｃを導出、設定する。
（３）前記定電流値Ｉａｃで定電流制御された帯電電圧を帯電ロールＣＲｙ〜ＣＲｋに印加する。
【００５０】
ＳＴ８において、以下の（１）〜（３）の処理を実行し、ＳＴ９に移る。
（１）温度マージンＭｔをマージンＭａに設定する。
（２）前記マージンＭａを予め設定された基準電流値Ｉｋに掛け合わせて、前記定電流値Ｉａｃを導出、設定する。
（３）前記定電流値Ｉａｃで定電流制御された帯電電圧を前記帯電ロールＣＲｙ〜ＣＲｋに印加する。
【００５１】
ＳＴ９において、ジョブが終了したか否かを判別する。イエス（Ｙ）の場合はＳＴ１０に移り、ノー（Ｎ）の場合はＳＴ９を繰り返す。
ＳＴ１０において、前記プリンタＵが記録媒体Ｓに対し印刷した枚数として、前記累積印刷枚数ｎを記録する。そして、ＳＴ１１に移る。
ＳＴ１１において、帯電電圧の印加を停止する。そして、ＳＴ１２に移る。
ＳＴ１２において、前記累積印刷枚数ｎが予め設定された開始判別回数ｎａを超過したか否かを判別する。イエス（Ｙ）の場合は、ＳＴ１３に移り、ノー（Ｎ）の場合は、ＳＴ１に移る。
ＳＴ１３において、以下の（１）〜（３）の処理を実行する。そして、ＳＴ１に移る。
（１）前記帯電ロールＣＲｙ〜ＣＲｋの交流電圧を増加させ、飽和状態となる交流電圧を検知する。
（２）検知された飽和時の交流電圧を基準電流値Ｉｋに設定する検知を行う。
（３）前記累積印刷枚数ｎを０に初期化する。
【００５２】
（実施例１の作用）
前記構成を備えた本発明の実施例１のプリンタＵでは、ジョブが実行される際に、温度計ＳＮ１によって検出されたジョブ実行時の環境温度Ｔｅに対応した温度マージンＭｔが、予め設定された温度補正テーブルＴＡ１より導出される。
検出された前記環境温度Ｔｅが前記温度閾値Ｔａの１８℃以下の場合、前記温度マージンＭｔを、設定された基準電流値Ｉｋに掛け合わせることによって、定電流値Ｉａｃが導出、設定される。
また、前記環境温度Ｔｅが予め設定された温度閾値Ｔａの１８℃以上の場合、湿度計ＳＮ２によって検出された環境湿度Ｈｕに対応したマージン補正値Ｍｈ１が、湿度補正テーブルＴＡ２より導出され、前記温度マージンＭｔに加算されることによって、湿度マージンＭｈが導出される。そして、前記湿度マージンＭｈを、設定された基準電流値Ｉｋに掛け合わせることによって、定電流値Ｉａｃが導出、設定される。
【００５３】
一般に、画像形成装置では、低温になるほど、いわゆる、白点と呼ばれる画像欠陥が多くなり、高温または高湿になると、いわゆる、色点や黒点と呼ばれる画像欠陥が多くなる傾向がある。表面に凸凹が少ない滑らかな従来の帯電ロールでは、白点が発生しない程度のマージンを設定しておけば、色点が発生しないマージンも自動的に確保され、温度に基づいて、白点が発生しないマージンを設定して、帯電電圧の制御を行うことで画像欠陥の発生も防止されていた。
【００５４】
これに対して、表面に凸凹が形成された前記帯電ロールＣＲｙ〜ＣＲｋを使用すると、凸凹の少ない従来の前記帯電ロールＣＲｙ〜ＣＲｋに比べて、低いマージンで白点が不発生となることが本発明者らの研究で確認された。よって、表面に凸凹が形成された前記帯電ロールＣＲｙ〜ＣＲｋに対して、従来のマージンで帯電電圧を印加すると、過剰な電圧印加となり、劣化が促進され、寿命が短くなる。これにしたがって、従来の制御のままマージンの値を低下させると、白点が発生しないマージンに設定しても、温度が高くなると色点が発生し、湿度が高くなるほど顕著になることが本発明者らの研究で確認された。詳細なメカニズムは不明であるが、凸凹で前記帯電ロールＣＲｙ〜ＣＲｋと前記感光体Ｐｙ〜Ｐｋの接触面積が減ったことが原因と考えられる。即ち、表面に凸凹が少ない従来の構成で行われた制御をそのまま適用した構成では、画像欠陥が発生するおそれがあった。
【００５５】
これに対し、本発明の実施例１の構成では、前記マージンＭａを、前記温度閾値Ｔａにおいて、前記温度マージンＭｔと、前記湿度マージンＭｈに切り替えている。したがって、低温環境下では、白点不発生となる前記定電流値Ｉａｃが設定され、この定電流値Ｉａｃで色点も不発生となる。逆に、前記閾値Ｔａ以上の高温環境下では、湿度に応じて色点不発生となる定電流値Ｉａｃが設定され、この定電流値Ｉａｃで自動的に白点も不発生となる。よって、前記マージンＭａに基づく、前記温度マージンＭｔと、前記湿度マージンＭｈの切り替えで表面に凸凹のある帯電体ロールＣＲｙ〜ＣＲｋでも画像欠陥の発生が低減されている。
【００５６】
（実験例１,２）
次に本発明の実施例１の構成における効果を確認するために実験例１および実験例２を行った。
実験例１，２は、富士ゼロックス株式会社製のＤＣＣ４５０を使用して行った。したがって、帯電ロールＣＲｋとして、金属製の導電軸１の表面にカーボンブラック等の導電材を分散した弾性ゴム層の弾性層を被覆し、弾性層の表面に直径数μｍのナイロン微粒子を分散した厚さ９μｍのナイロン樹脂層を形成した直径約１２ｍｍの部材を用いた。また、感光体Ｐｋとして、有機感光体を使用し、電荷輸送層の厚さが３４μｍの直径約３０ｍｍの感光体ドラムを使用した。そして、実験例１，２では、前記帯電ロールＣＲｋに対して、−７００Ｖの直流電圧に、基準電流値をＩｋ＝１．５[ｍＡ]、Ｖｐｐ＝１．７[ｋＶ]の交流電圧を重畳した帯電電圧を印加した。したがって、前記感光体Ｐｋの表面における帯電表面電位が約−７００Ｖに帯電する。
実験例１では、温度環境毎に、白点が発生しない下限のマージンＭａを測定した。また実験例２では、湿度を固定した場合の温度環境毎に、色点が発生しない下限のマージンＭａを測定した。
なお、前記マージンＭａは、１０℃,１５℃,２０℃,２５℃,３０℃,３５℃、および、４０℃の環境温度下で測定した。
【００５７】
（実験例１−１）
実験例１−１では、表面に微小な凸凹が形成された実施例１の帯電ロールＣＲｋを使用して、白点が不発生になる下限の前記マージンＭａを求めた。
（比較例１−１）
比較例１−１では、表面に微小な凸凹が少ない従来の帯電ロールを使用して、白点が不発生になる下限の前記マージンＭａを求めた。
【００５８】
（実験例２−１）
実験例２−１では、環境湿度が２０％ＲＨの状態において、実験例１−１と同様の前記帯電ロールＣＲｋを使用して、色点や黒点が不発生になる下限の前記マージンＭａを求めた。
（実験例２−２）
実験例２−２では、環境湿度が５０％ＲＨの状態において、実験例１−１と同様の前記帯電ロールＣＲｋを使用して、色点や黒点が不発生になる下限の前記マージンＭａを求めた。
（実験例２−３）
実験例２−３では、環境湿度が８０％ＲＨの状態において、実験例１−１と同様の前記帯電ロールＣＲｋを使用して、色点や黒点が不発生になる下限の前記マージンＭａを求めた。
【００５９】
図７は実験例１および実験例２の実験結果を表したグラフであり、横軸に環境温度を取り、縦軸に補正値の一例としてのマージンを取ったグラフである。
図７において、環境温度が１０℃〜４０℃の範囲の場合、実験例１−１は、比較例１−１と比べて、白点が発生しない下限のマージンが低くなっており、表面に微小な凸凹が形成された前記帯電ロールＣＲｋでは、凸凹の少ない従来の前記帯電ロールに比べて、低いマージンで白点が不発生となることが確認された。
また、実験例２−１、実験例２−２、および、実験例２−３から、色点や黒点が発生しない下限のマージンは、実験例２−１、実験例２−２、実験例２−３の順で低くなっており、表面に微小な凸凹が形成された前記帯電ロールＣＲｋでは、環境湿度Ｈｕが低いほど、色点や黒点が不発生となることが確認された。
【００６０】
ここで、実験例１−１の白点が発生しない下限のマージンと、実験例２−１、実験例２−２、および、実験例２−３の色点や黒点が発生しない下限のマージンとを比較すると、環境温度Ｔｅが低い場合、実験例１−１の白点が発生しない下限のマージンは、色点や黒点が発生しない下限のマージンよりも高くなる。実験例２−１では３１℃、実験例２−２では２８℃、実験例２−３では１５℃で、白点が発生しない下限のマージンが、色点や黒点が発生しない下限のマージンと同じ値になり、環境湿度Ｈｕが低くなるほど、下限マージンどうしが同値となる温度が高くなることが確認された。そして、これらの環境温度Ｔｅ以上では、白点が発生しない下限のマージンは、色点や黒点が発生しない下限のマージンよりも低くなることが確認された。
【００６１】
よって、白点が発生しない下限のマージンと、色点や黒点が発生しない下限のマージンとが同値となる環境温度Ｔｅを閾値として、環境温度Ｔｅが閾値以下では、白点が発生しないマージンを使用し、閾値以上で色点等が発生しないマージンを使用すれば、白点も色点等も不発生となることがわかる。具体的には、例えば、環境湿度Ｈｕが８０％ＲＨの場合は、１５℃以下は白点が不発生のマージンを使用し、１５℃以上は色点等が不発生のマージンを使用すればよい。よって、閾値を境にマージンを切り替えて、帯電電圧を印加する構成では、従来のマージンで帯電電圧を印加する構成と比べて、表面に凸凹が形成された前記帯電ロールＣＲｋでも白点、色点等が不発生となり、画像欠陥の発生が低減されることが確認された。
【００６２】
なお、実施例１の構成では、前記温度マージンＭｔと、前記湿度マージンＭｈとを切り替える前記温度閾値Ｔａとして、１８℃が設定されている。これは、実験例１−１の白点が発生しない下限のマージンは、環境温度Ｔｅが１６℃以上の範囲でマージンの変化が小さくなっており、全ての環境湿度Ｈｕの場合において、温度閾値Ｔａを１８℃として、１８℃以下におけるマージンを実験例１−１および実験例２−３を満足する値に設定すると共に、１８℃以上では、各湿度に対応して実験例２−１〜実験例２−３に応じた実験例１−１との差分の値を設定している。
よって、実施例１では、閾値が１つとなると共に、全ての温度、湿度環境で白点および色点等が不発生となり、画像欠陥の発生が低減されている。
【実施例２】
【００６３】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００６４】
（実施例２の制御部の説明）
図８は本発明の実施例２の画像形成装置の制御部が備えている各機能をブロック図で示した図であり、実施例１の図３に対応する説明図である。
制御部Ｃは、実施例１の温度依存性記憶手段Ｃ７、温度閾値記憶手段Ｃ８、温度環境判別手段Ｃ９、湿度依存性記憶手段Ｃ１０、および、マージン設定手段Ｃ１１に替えて、温度依存性記憶手段Ｃ７′、温度閾値記憶手段Ｃ８′、湿度依存性記憶手段Ｃ１０′、温度閾値設定手段Ｃ２１、湿度関数設定手段Ｃ２２、温度環境判別手段Ｃ２３、および、マージン設定手段Ｃ２４を有する。
なお、前記制御部Ｃのその他の構成要素については、実施例１と同様であるため、詳細な説明を省略する。
【００６５】
（制御部Ｃの機能）
Ｃ７′：温度依存性記憶手段
実施例２の温度依存性記憶手段Ｃ７′は、実施例１の温度依存性記憶手段Ｃ７に記憶された温度補正テーブルＴＡ１と異なり、温度依存性の一例として、図７に示す温度Ｔと白点が不発生となるマージンとの関係である温度関数ｆ１（Ｔ）を記憶する。
Ｃ８′：温度閾値記憶手段
温度閾値記憶手段Ｃ８′は、環境湿度Ｈｕに対応した予め設定された温度閾値を記憶する。実施例２の温度閾値記憶手段Ｃ８′は、前記温度閾値Ｔａ′として、環境湿度Ｈｕが２０％ＲＨ以下の場合、前記温度閾値Ｔａ′は３１℃、２０％ＲＨ〜５０％ＲＨの場合は２８℃、５０％ＲＨ〜８０％ＲＨ、および、８０％ＲＨ以上の場合は１５℃と記憶する。すなわち、図７に示す実験結果に基づいて、各環境湿度Ｈｕで、白点が発生しない下限のマージンが、色点や黒点が発生しない下限のマージンと同じ値になる温度を記憶する。なお、前記温度閾値Ｔａ′の具体的な数値は、例示した数値に限定されず、設計や仕様等に応じて任意に変更可能である。
【００６６】
Ｃ１０′：湿度依存性記憶手段
湿度依存性記憶手段Ｃ１０′は、実施例１の湿度依存性記憶手段Ｃ１０に記憶された湿度補正テーブルＴＡ２と異なり、湿度依存性の一例として、図７に示す、湿度に対する、温度Ｔと色点が不発生となるマージンとの関係である湿度関数ｆ２（Ｔ）、ｆ３（Ｔ）、ｆ４（Ｔ）を記憶する。
Ｃ２１：温度閾値設定手段
温度閾値設定手段Ｃ２１は、前記環境湿度検出手段Ｃ６で検出された環境湿度Ｈｕに対応した前記温度閾値Ｔａ′を、前記温度閾値記憶手段Ｃ８′に記憶された温度閾値の中から選択し、設定する。
【００６７】
Ｃ２２：湿度関数設定手段
湿度関数設定手段Ｃ２２は、検出された環境湿度Ｈｕに対応した湿度関数を設定する。実施例２では、環境湿度Ｈｕに対応した関数として図7に示す実験結果に基づいて、環境湿度Ｈｕが２０％ＲＨ未満の場合は、低湿用の湿度関数ｆ２（Ｔ）、環境湿度Ｈｕが２０％ＲＨ以上５０％ＲＨ未満の場合は、中湿用の湿度関数ｆ３（Ｔ）、環境湿度Ｈｕが５０％ＲＨ以上８０％ＲＨ未満、および、８０％ＲＨ以上の場合は、高湿用の湿度関数ｆ４（Ｔ）の湿度関数が予め記憶されている。そして、実施例２の湿度関数設定手段Ｃ２２では、ｆ２（Ｔ）〜ｆ４（Ｔ）の中から、環境湿度Ｈｕに対応する湿度関数が選択、設定される。
【００６８】
Ｃ２３：温度環境判別手段
温度環境判別手段Ｃ２３は、前記環境温度検出手段Ｃ５で検出された前記環境温度Ｔｅに基づいて、前記温度閾値設定手段Ｃ２１で設定された前記温度閾値Ｔａ′以上の温度の環境か否かの判別を行う。
Ｃ２４：マージン設定手段
補正値設定手段の一例としてのマージン設定手段Ｃ２４は、温度対応マージン設定手段Ｃ２４Ａと、湿度対応マージン設定手段Ｃ２４Ｂとを有し、定電流値Ｉａｃを導出するための基準電流値Ｉｋを補正する補正値の一例としてのマージンＭａ′を設定する。
【００６９】
Ｃ２４Ａ：温度対応マージン設定手段
温度対応補正値設定手段の一例としての温度対応マージン設定手段Ｃ２４Ａは、温度関数と、前記環境温度Ｔｅとに基づいて、前記環境温度Ｔｅに対応するマージンＭａ′を設定する。実施例２の温度対応マージン設定手段Ｃ２４Ａは、前記環境温度Ｔｅが前記温度閾値Ｔａ′未満である場合に、図７に示す実験結果に基づいて、予め記憶された温度Ｔに依存する温度関数ｆ１（Ｔ）と、前記環境温度Ｔｅとに基づいて、温度関数ｆ１（Ｔｅ）の値を演算し、この値をマージンＭａ′として設定する。
【００７０】
Ｃ２４Ｂ：湿度対応マージン設定手段
湿度対応補正値設定手段の一例としての湿度対応マージン設定手段Ｃ２４Ｂは、湿度関数と、環境温度Ｔｅとに基づいて、前記環境温度Ｔｅに対応するマージンＭａ′を設定する。実施例２の湿度対応マージン設定手段Ｃ２４Ｂは、前記環境温度Ｔｅが前記温度閾値Ｔａ′以上である場合に、前記湿度関数設定手段Ｃ２２で設定された湿度関数ｆ２（Ｔ）〜ｆ４（Ｔ）と、前記環境温度Ｔｅとに基づいて、湿度関数の値を演算し、この値をマージンＭａ′として設定する。
【００７１】
（実施例２のフローチャートの説明）
次に、本発明の実施例２のプリンタＵの処理の流れをフローチャートを使用して説明する。
（実施例２の帯電電圧制御処理のフローチャートの説明）
図９は本発明の実施例２の画像形成装置での帯電電圧制御処理のフローチャートであり、実施例１の図６に対応する説明図である。
ここで、実施例２の画像形成装置での帯電電圧制御処理のフローチャートは、実施例１の画像形成装置での帯電電圧制御処理のフローチャートに比べ、ＳＴ２〜ＳＴ８に替えて、以下のＳＴ３１〜ＳＴ３７を実行する。なお、その他の処理ＳＴ１，ＳＴ９〜ＳＴ１３については、実施例１と同様であるため、詳細な説明を省略する。
【００７２】
図９のＳＴ３１において、環境湿度Ｈｕを検出する。そして、ＳＴ３２に移る。
ＳＴ３２において、以下の（１）,（２）の処理を実行し、ＳＴ３３に移る。
（１）検出された前記環境湿度Ｈｕに対応する温度閾値Ｔａ′を設定する。
（２）検出された前記環境湿度Ｈｕに対応する湿度関数を湿度関数ｆ２（Ｔ）〜ｆ４（Ｔ）の中から選択し、設定する。
ＳＴ３３において、環境温度Ｔｅを検出する。そしてＳＴ３４に移る。
【００７３】
ＳＴ３４において、検出された前記環境温度Ｔｅが、設定された前記温度閾値Ｔａ′以上であるか否かを判別する。イエス（Ｙ）の場合は、ＳＴ３５に移り、ノー（Ｎ）の場合は、ＳＴ３６に移る。
ＳＴ３５において、設定された前記湿度関数と、前記環境温度Ｔｅとに基づいて、前記湿度関数の値を演算し、この値をマージンＭａ′として設定する。そして、ＳＴ３７に移る。
【００７４】
ＳＴ３６において、温度関数ｆ１（Ｔ）と、前記環境温度Ｔｅとに基づいて、温度関数ｆ１（Ｔｅ）の値を演算し、この値をマージンＭａ′として設定する。そして、ＳＴ３７に移る。
ＳＴ３７において、以下の（１）,（２）の処理を実行し、ＳＴ９に移る。
（１）前記マージンＭａ′を、予め設定された基準電流値Ｉｋに掛け合わせて、定電流値Ｉａｃを導出、設定する。
（２）前記定電流値Ｉａｃで定電流制御された帯電電圧を帯電ロールＣＲｙ〜ＣＲｋに印加する。
【００７５】
（実施例２の作用）
前記構成を備えた本発明の実施例２のプリンタＵでは、ジョブが実行される際に、検出された環境湿度Ｈｕに基づいて、温度閾値Ｔａ′が設定されると共に、湿度関数ｆ２（Ｔ）〜ｆ４（Ｔ）の中から、環境湿度Ｈｕに対応する湿度関数が選択される。
温度計ＳＮ１によって検出された環境温度Ｔｅが、温度閾値Ｔａ′以上の場合、設定された湿度関数から演算された湿度関数の値がマージンＭａ′として設定される。そして、前記マージンＭａ′を基準電流値Ｉｋに掛け合わせることで、定電流値Ｉａｃが導出、設定される。
【００７６】
検出された前記環境温度Ｔｅが、設定された前記温度閾値Ｔａ′未満の場合、温度関数ｆ１（Ｔ）から演算された温度関数ｆ１（Ｔｅ）の値がマージンＭａ′として設定される。そして、前記マージンＭａ′を基準電流値Ｉｋに掛け合わせることで、定電流値Ｉａｃが導出、設定される。
よって、前記マージンＭａ′は、環境湿度Ｈｕに対応した前記温度閾値Ｔａ′と、前記環境温度Ｔｅとに基づいて、前記温度関数ｆ１（Ｔ）と、前記湿度関数ｆ２（Ｔ）〜ｆ４（Ｔ）の中より前記環境湿度Ｈｕに対応して選択された湿度関数とが切り替えられる。
【００７７】
また、本発明の実施例２の構成では、マージンＭａ′を設定する際の前記温度閾値Ｔａ′が、環境湿度Ｈｕに応じて３段階設定されており、前記温度閾値Ｔａが１つの実施例１の構成と比べ、より細かく前記温度関数ｆ１（Ｔ）と、前記湿度関数ｆ２（Ｔ）〜ｆ４（Ｔ）の切り替えがされる。よって、実施例１に比べて、より正確に環境温度Ｔｅ、および、環境湿度Ｈｕに応じて、白点、および、色点等が不発生となり、且つ、過剰な帯電電圧が低減された前記定電流値Ｉａｃで印加され、帯電電圧が起因となる劣化が低減され、前記プリンタＵの寿命が短くなることが低減される。
【実施例３】
【００７８】
次に、本発明の実施例３の説明をするが、この実施例３の説明において、前記実施例１、２の構成要素に対応する構成要素には同一の符号を付して、その詳細な説明を省略する。
この実施例３は、下記の点で前記実施例１、２と相違しているが、他の点では前記実施例１、２と同様に構成されている。
【００７９】
（実施例３の制御部の説明）
図１０は本発明の実施例３の画像形成装置の制御部が備えている各機能をブロック図で示した図であり、実施例１の図３に対応する説明図である。
実施例３の制御部Ｃは、実施例２の温度閾値記憶手段Ｃ８′、温度閾値設定手段Ｃ２１、温度関数設定手段Ｃ２２、マージン設定手段Ｃ２４に替えて、湿度環境判別手段Ｃ３１と、マージン設定手段Ｃ３２とを有する。
なお、前記制御部Ｃのその他の構成要素については、実施例１、２と同様であるため、詳細な説明を省略する。
【００８０】
（制御部Ｃの機能）
Ｃ３１：湿度環境判別手段
湿度環境判別手段Ｃ３１は、環境湿度検出手段Ｃ６で検出された環境湿度Ｈｕに基づいて、プリンタＵの湿度環境を判別する。実施例３の湿度環境判別手段Ｃ３１は、環境湿度Ｈｕが２０％ＲＨ未満の低湿環境、２０％ＲＨ以上５０％ＲＨ未満の中湿環境、５０％ＲＨ以上の高湿環境のいずれかを判別することで、湿度環境を判別する。
Ｃ３２：マージン設定手段
マージン設定手段Ｃ３２は、温度依存マージン演算手段Ｃ３２Ａと、湿度依存マージン演算手段Ｃ３２Ｂと、マージン判別手段Ｃ３２Ｃを有し、定電流値Ｉａｃを導出するための基準電流値Ｉｋを補正する補正値の一例としてのマージンＭａ″を設定する。
【００８１】
Ｃ３２Ａ：温度依存マージン演算手段
温度依存マージン演算手段Ｃ３２Ａは、温度依存性記憶手段Ｃ７′に記憶された温度関数ｆ１（Ｔ）と環境温度Ｔｅとに基づいて、温度依存マージン値Ｍｔ″を演算する。実施例３の温度依存マージン演算手段Ｃ３２Ａは、Ｍｔ″＝ｆ１（Ｔｅ）を演算して、温度依存マージンＭｔ″を導出する。
Ｃ３２Ｂ：湿度依存マージン演算手段
湿度依存マージン演算手段Ｃ３２Ｂは、湿度依存性記憶手段Ｃ１０′に記憶された湿度関数ｆ２（Ｔ）〜ｆ４（Ｔ）の中の環境湿度Ｈｕに対応する湿度関数ｆ２（Ｔ）〜ｆ４（Ｔ）と、環境温度Ｔｅとに基づいて、湿度依存マージン値Ｍｈ″を演算する。実施例３の湿度依存マージン演算手段Ｃ３２Ｂは、例えば、環境湿度Ｈｕが低湿の場合、低湿用の湿度関数ｆ２（Ｔ）から、Ｍｈ″＝ｆ２（Ｔｅ）を演算することで、湿度依存マージンＭｈ″を導出する。
【００８２】
Ｃ３２Ｃ：マージン判別手段
マージン判別手段Ｃ３２Ｃは、演算された温度依存マージンＭｔ″と、演算された湿度依存マージンＭｈ″と、に基づいて、マージンＭｔ″、Ｍｈ″のいずれかをマージンＭａ″と判別する。実施例３のマージン判別手段Ｃ３２Ｃは、温度依存マージンＭｔ″と湿度依存マージンＭｈ″のうち、値の大きな一方をマージンＭａ″と判別する。したがって、マージン設定手段Ｃ３２は、マージン判別手段Ｃ３２Ａで判別されたマージンＭａ″を、基準電流値Ｉｋを補正するマージンＭａ″として設定する。
【００８３】
（実施例３のフローチャートの説明）
次に、本発明の実施例３のプリンタＵの処理の流れをフローチャートを使用して説明する。
（実施例３の帯電電圧制御処理のフローチャートの説明）
図１１は本発明の実施例３の画像形成装置での帯電電圧制御処理のフローチャートであり、実施例２の図９に対応する説明図である。
ここで、実施例３の画像形成装置での帯電電圧制御処理のフローチャートは、実施例２の画像形成装置での帯電電圧制御処理のフローチャートに比べ、ＳＴ３１〜ＳＴ３７に替えて、以下のＳＴ４１〜ＳＴ４６を実行する。なお、その他の処理ＳＴ１，ＳＴ９〜ＳＴ１３については、実施例１と同様であるため、詳細な説明を省略する。
【００８４】
図１１のＳＴ４１において、次の処理（１）、（２）を実行し、ＳＴ４２に移る。
（１）環境湿度Ｈｕを検出する。
（２）環境温度Ｔｅを検出する。
ＳＴ４２において、次の処理（１）、（２）を実行し、ＳＴ４３に移る。
（１）検出された環境温度Ｔｅと、温度関数ｆ１（Ｔ）とから、温度依存マージンＭａ″を導出する。
（２）検出された環境湿度Ｈｕに対応する湿度関数を湿度関数ｆ２（Ｔ）〜ｆ４（Ｔ）を選択し、選択された湿度関数ｆ２（Ｔ）〜ｆ４（Ｔ）と環境温度Ｔｅから、湿度依存マージンＭｈ″を導出する。
【００８５】
ＳＴ４３において、温度依存マージンＭｔ″が湿度依存マージンＭｈ″以上であるか否かを判別する。イエス（Ｙ）の場合はＳＴ４４に移り、ノー（Ｎ）の場合はＳＴ４５に移る。
ＳＴ４４において、温度依存マージンＭｔ″をマージンＭａ″に設定し、ＳＴ４６に移る。
ＳＴ４５において、湿度依存マージンＭｈ″をマージンＭａ″に設定し、ＳＴ４６に移る。
ＳＴ４６において、以下の（１）,（２）の処理を実行し、ＳＴ９に移る。
（１）前記マージンＭａ″を、予め設定された基準電流値Ｉｋに掛け合わせて、定電流値Ｉａｃを導出、設定する。
（２）前記定電流値Ｉａｃで定電流制御された帯電電圧を帯電ロールＣＲｙ〜ＣＲｋに印加する。
【００８６】
（実施例３の作用）
前記構成を備えた実施例３のプリンタＵでは、温度関数ｆ１（Ｔ）から導出された温度依存マージンＭｔ″と、湿度関数ｆ２（Ｔ）〜ｆ４（Ｔ）から導出された湿度依存マージンＭｈ″と、の中で、いずれか大きな値が、マージンＭａ″として使用される。したがって、実施例３では、実施例１、２と異なり、閾値を使用しなくても、図７に示すように、白点および色点の両方が不発生のマージンＭａ″が設定される。
【００８７】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ06）を下記に例示する。
（Ｈ01）前記実施例において、画像形成装置の一例としてのプリンタＵを例示したが、これに限定されず、ＦＡＸや複写機あるいはこれらすべて、または複数の機能を備えた複合機とすることも可能である。また、カラーの画像形成装置に限定されず、モノクロの画像形成装置により構成することも可能であり、いわゆるタンデム式の画像形成装置に限定されず、ロータリ式等の画像形成装置にも適用可能である。
【００８８】
（Ｈ02）前記実施例において、基準電流値Ｉｋの検知、設定は、累積印刷枚数ｎが、予め設定された開始判別枚数ｎａを超過した場合に行う構成を例示したが、これに限定されず、感光体Ｐｙの回転数や駆動時間等の任意のパラメータを用いて、基準電流値Ｉｋの検知、設定を開始する条件を設定する構成とすることも可能である。
（Ｈ03）前記実施例において、環境湿度Ｈｕに対応した湿度関数を、湿度関数ｆ２（Ｔ）〜ｆ４（Ｔ）の中から選択する構成を例示したが、これに限定されず、湿度関数が追加され、対応する環境湿度Ｈｕの区分がより細分化された湿度関数群の中から湿度関数を選択する構成とすることも可能である。また、温度閾値Ｔａが１つの実施例１の構成や、３段階設定された温度閾値Ｔａ′の実施例２の構成に限定されず、温度閾値を増加して、環境温度Ｔｅに基づき、温度関数ｆ１（Ｔ）と、湿度関数とをより細かく切り替える構成とすることも可能である。
【００８９】
（Ｈ04）前記実施例において、帯電器清掃部材の一例としての帯電器クリーナＣＣｙを前記帯電ロールＣＲｙに接触させて配置することが望ましいが、省略することも可能である。
（Ｈ05）前記実施例において、例示した具体的な数値や材料等は、設計や仕様等に応じて、適宜変更可能である。
（Ｈ06）前記実施例において、マージンと基準電流値とを掛け合わせることで定電流値を導出する構成を例示したが、この構成に限定されず、例えば、基準電流値が固定の場合、マージンを使用せずに、定電流値と温度、湿度との関係である関数やテーブルが設定可能となり、マージンを使用して演算をすることで間接的に定電流値を演算しなくても、定電流値を直接導出することも可能となる。
【符号の説明】
【００９０】
１…導電軸、
２…帯電部材本体、
Ｃ７，Ｃ７′…温度依存性記憶手段、
Ｃ８，Ｃ８′…温度閾値記憶手段、
Ｃ９…温度環境判別手段、
Ｃ１０，Ｃ１０′…湿度依存性記憶手段、
Ｃ１３…帯電電圧制御手段、
Ｃ２１…温度閾値設定手段、
ＣＲｙ〜ＣＲｋ…帯電部材、
ＣＲｙ〜ＣＲｋ＋Ｅ２＋Ｃ３〜Ｃ１３…帯電装置、
Ｅ２…帯電電源、
Ｆ…定着装置、
Ｇｙ〜Ｇｋ…現像器、
Ｈｕ…環境湿度、
Ｉａｃ…定電流値、
Ｍｈ，ｆ２（Ｔ），ｆ3（Ｔ），ｆ４（Ｔ）…湿度依存性、
Ｐｙ〜Ｐｋ…被帯電体、像保持体、
ＲＯＳ…潜像形成装置、
Ｓ…媒体、
ＳＮ１…環境温度検出手段、
ＳＮ２…環境湿度検出手段、
Ｔ１ｙ〜Ｔ１ｋ…転写装置、
Ｔａ，Ｔａ′…温度閾値、
ＴＡ１，ｆ１…温度依存性、
Ｔｅ…環境温度、
Ｕ…画像形成装置。
【図１】
2010230732.tif 000003
【図２】
2010230732.tif 000004
【図３】
2010230732.tif 000005
【図４】
2010230732.tif 000006
【図５】
2010230732.tif 000007
【図６】
2010230732.tif 000008
【図７】
2010230732.tif 000009
【図８】
2010230732.tif 000010
【図９】
2010230732.tif 000011
【図１０】
2010230732.tif 000012
【図１１】
2010230732.tif 000013